(57)【特許請求の範囲】
【請求項１】
デジタルテレビ放送の受信電波から番組の映像を復調して受信映像として表示する機能および電波に多重されている付加情報を取得して、受信映像と同一画面上にオンスクリーン表示する機能を備えたデジタルテレビ放送受信機において、
常時は、受信映像信号のみを出力している録画専用出力端子、
リモコン送信機に設けられかつユーザが録画したい付加情報がオンスクリーン表示されているときにそのオンスクリーン表示映像を録画させるためのオンスクリーン表示録画キー、ならびにオンスクリーン表示録画キーが押されてから所定の設定時間が経過するまでの間、受信映像信号にオンスクリーン表示映像が重畳された映像信号を録画専用出力端子に出力させる録画出力切り替え手段を備えており、
現在表示されているオンスクリーン表示において文字が含まれている場合には、文字数が多いほど上記所定の設定時間が長くなるように、上記所定の設定時間を制御する手段を備えていることを特徴とするデジタルテレビ放送受信機。
【発明の詳細な説明】
【０００１】
【発明の属する技術分野】
この発明は、デジタルテレビ放送受信機に関する。
【０００２】
【従来の技術】
一般のアナログテレビ放送受信機では、チャンネル番号や音量表示、さらに各種メニュー等の視聴者による操作は、操作性向上のために受信映像と同一画面上に表示されるオンスクリーン表示によって行なわれている。しかしながら、オンスクリーン表示は番組の映像を視聴するにあたってはその妨げとなるため、通常、録画専用出力端子からは出力されないようになっている。
【０００３】
デジタルテレビ放送受信機においては、各種操作画面がオンスクリーン表示される他、電波に多重されている番組のタイトル、内容説明、出演者の紹介等の付加情報が取得されてオンスクリーン表示されるといったことが行なわれている。番組のタイトル、内容説明、出演者の紹介等の付加情報を表示するための表示手段としては、メニュー等の操作画面を表示するための表示手段と同じものが用いられているため、番組の内容説明、出演者の紹介等の付加情報のオンスクリーン表示も、メニュー等の操作画面のオンスクリーン表示と同様に取り扱われており、録画専用出力端子から出力されないようになっている。
【０００４】
しかしながら、番組のタイトル、内容説明等の付加情報のオンスクリーン表示を番組の映像とともに録画しておくことができれば、再生時において、番組のタイトル、内容が把握し易くなるという利点がある。そこで、番組の冒頭の一定時間のみこれらのオンスクリーン表示を受信映像に重畳して録画専用出力端子から出力させるといったことが考えられる。
【０００５】
しかしながら、電波に多重されている付加情報は、番組のタイトル、内容説明に限らない。例えば、マラソン中継を視聴中に特定の走者を選択すれば、その走者のプロフィールをオンスクリーン表示するといった、ユーザの好みに応じたインターラクティブなサービスも考えられている。このようなユーザの好みに応じたインターラクティブなサービスに応じたオンスクリーン表示をも録画できれば便利である。しかしながら、ユーザの好みに応じたインターラクティブなサービスに応じたオンスクリーン表示がどの時点で行なわれるかを、ユーザは予め知ることができないため、オンスクリーン表示を録画専用出力端子からの受信映像出力に対して重畳させるタイミングを、あらかしめプログラムしておくことはできない。
【０００６】
オンスクリーン表示を録画出力端子から受信映像出力に対して常に重畳させておくことも考えられるが、録画したいオンスクリーン表示を表示させるために必要な操作画面まで録画されることになり、録画専用出力端子を設けた意味がなくなる。
【０００７】
【発明が解決しようとする課題】
この発明は、ユーザが所望する任意のタイミングで、受信映像信号にオンスクリーン表示映像が重畳された映像信号を録画専用出力端子から出力させることができるデジタルテレビ放送受信機を提供することを目的とする。
【０００８】
【課題を解決するための手段】
この発明によるデジタルテレビ放送受信機は、デジタルテレビ放送の受信電波から番組の映像を復調して受信映像として表示する機能および電波に多重されている付加情報を取得して、受信映像と同一画面上にオンスクリーン表示する機能を備えたデジタルテレビ放送受信機において、常時は、受信映像信号のみを出力している録画専用出力端子、リモコン送信機に設けられかつユーザが録画したい付加情報がオンスクリーン表示されているときにそのオンスクリーン表示映像を録画させるためのオンスクリーン表示録画キー、ならびにオンスクリーン表示録画キーが押されてから所定の設定時間が経過するまでの間、受信映像信号にオンスクリーン表示映像が重畳された映像信号を録画専用出力端子に出力させる録画出力切り替え手段を備えており、現在表示されているオンスクリーン表示において文字が含まれている場合には、文字数が多いほど上記所定の設定時間が長くなるように、上記所定の設定時間を制御する手段を備えていることを特徴とする。
【００１２】
【発明の実施の形態】
以下、図面を参照して、この発明の実施の形態について説明する。
【００１３】
図１は、ＣＳデジタル放送を受信する機能を有するデジタルテレビ放送受信機の構成を示している。
【００１４】
通信衛星（ＣＳ）を利用したＣＳ放送波は、アンテナ１を介してチューナ２に送られ、高周波処理および復調が行われる。チューナ２からの出力はＤＥＭＵＸ回路３に送られ、パケットの復号が行われる。
【００１５】
ＤＥＭＵＸ回路３において、パケットは、ＭＰＥＧデータと付加情報とに分別される。ＤＥＭＵＸ回路３によって分別されたＭＰＥＧデータは、ＡＶデコーダ４に送られる。ＤＥＭＵＸ回路３によって分別された付加情報は、システムコントローラ１０に送られて記憶される。
【００１６】
ＡＶデコーダ４は、ＤＥＭＵＸ回路３から送られきたＭＰＥＧデータを復調する。ＡＶデコーダ４によって得られた映像信号は、映像処理回路５を介してマルチプレクサ６、１６に送られる。ＡＶデコーダ４によって得られた音声信号は、音声処理回路８および音声出力回路９を介してスピーカに送られる。
【００１７】
システムコントローラ１０は、タイマー回路１３を備えている。システムコントローラ１０には、リモコン送信機１１からのリモコン信号がリモコン受光器１２を介して入力される。システムコントローラ１０は、チューナ２およびＤＥＭＵＸ回路３に選局のための情報等を送る。また、システムコントローラ１０は、各種操作画面および付加情報を表示器にオンスクリーン表示させるためのＯＳＤ制御信号を、ＯＳＤ表示回路１４に送る。ＯＳＤ表示回路１４は、各種操作画面、付加情報の表示データを生成して、ＯＳＤ信号としてマルチプレクサ６およびＯＳＤスイッチ１５に送る。ＯＳＤスイッチ１５は、システムコントローラ１０によってオンオフ制御される。
【００１８】
マルチプレクサ６は、映像処理回路５から出力された映像データにＯＳＤ表示回路１４から送られてきたＯＳＤ信号をスーパーインポーズ処理して、映像出力回路７に送る。映像出力回路７から出力された映像信号は、表示器に送られる。
【００１９】
スイッチ１５がオンしている場合には、ＯＳＤ表示回路１４から出力されるＯＳＤ信号は、マルチプレクサ１６に送られる。マルチプレクサ１６は、映像処理回路５から出力された映像データにＯＳＤ表示回路１４から送られてきたＯＳＤ信号をスーパーインポーズ処理して、録画専用出力端子１７に送る。
【００２０】
ユーザは、付加情報をオンスクリーン表示させたい場合には、リモコン送信機１１を用いて付加情報をオンスクリーンさせるために必要な入力操作を行なう。リモコン送信機１１からはユーザによって行なわれた入力操作に応じたリモコン信号が出力され、リモコン受光器１２を介してシステムコントローラ１０に入力される。
【００２１】
システムコントローラ１０は、リモコン受光器１２からの信号に基づいて、付加情報を表示させるためのＯＳＤ制御信号をＯＳＤ表示回路１４に送る。ＯＳＤ表示回路１４は、ＯＳＤ制御信号に基づいて、ユーザが希望した付加情報に対応した表示データを生成した後、ＯＳＤ信号として出力する。このＯＳＤ信号は、マルチプレクサ６に送られ、映像処理回路５から出力された映像データにＯＳＤ信号がスーパーインポーズ処理されて、映像出力回路７に送られる。これにより、表示器には付加情報に対応した画像がオンスクリーン表示されるようになる。
【００２２】
ＯＳＤスイッチ１５のオンオフは次のように制御される。ユーザがリモコン送信機１１に設けられた特定のキーを押しているときには、リモコン送信機１１からは上記特定キーに応じたリモコン信号が出力され、リモコン受光器１２を介してシステムコントローラ１０に入力される。システムコントローラ１０は、リモコン受光器１２からの信号に基づいて、ＯＳＤスイッチ１５をオンさせるためのＯＳＤスイッチ制御信号を出力する。これにより、ＯＳＤスイッチ１５がオンする。
【００２３】
つまり、ユーザがリモコン送信機１１に設けられた特定のキーを押していない場合には、ＯＳＤスイッチ１５はオフ状態であり、録画専用出力端子１７には受信映像信号のみが出力される。ユーザがリモコン送信機１１に設けられた特定のキーを押している間は、ＯＳＤスイッチ１５がオンし、録画専用出力端子１７には受信映像にＯＳＤ信号が重畳された信号が送られる。
【００２４】
以下、具体的な操作例について説明する。
【００２５】
図２は、リモコン送信機１１の外観を示している。
【００２６】
このリモコン送信機１１は、通常のアナログテレビ放送受信機のリモコン送信機と同様に、電源キー２１、チャンネルアップ・ダウンキー２２および音量キー２３、テンキー２４を備えている他、メニュ−表示を行うためのメニューキー３１、カーソルを動かすための上下左右キー３２、選択項目を決定するための決定キー３３、番組情報を表示するための番組情報キー３４、付加情報を表示するための付加情報キー３５および付加情報表示を録画するための情報記録キー（オンスクリーン表示録画キー）３６を備えている。
【００２７】
図３〜図１１は、ユーザによる操作例を示している。
【００２８】
ユーザがメニューキー３１を押すと、図３に示すようなメニュー画面がオンスクリーン表示される。
【００２９】
メニュー画面上で、”番組関連”に対するサブメニューから”ジャンル検索”を選択すると、図４に示すようなジャンル検索メニュー画面が表示される。ジャンル検索メニュー画面上で、”スポーツ”を選択して、探索ボタンを押すと、図５に示すような検索結果一覧画面が表示される。
【００３０】
検索結果一覧画面上において、現在放送中の所望の番組のところに上下左右キー３２でカーソルを移動させた後（所望の番組を選択した後）、番組情報キー３４を押すと、図６に示すように、選択された番組の詳細内容がオンスクリーン表示される。ここでは、チャンネル番号”１００”の”日米対抗野球第２戦”が選択されたとする。
【００３１】
図６の画面上において、選局ボタンを押すと、選択された番組が選局され、図７に示すように、選択された番組の受信映像とともにチャンネル番号が表示される。この際、録画専用出力端子１７からは、選択された番組の受信映像信号のみが出力される。ここでは、録画専用出力端子１７から出力される受信映像信号をＶＴＲに録画するための操作を行なったとする。
【００３２】
この番組視聴中に付加情報を受信できる状態になると、図８に示すように、表示画面上に付加情報アイコン４１が表示され、現在付加情報が受信できることがユーザに知らされる。
【００３３】
ユーザは付加情報を表示させたい場合には、付加情報キー３５を押す。すると、たとえば、図９に示すような付加情報がオンスクリーン表示される。ここでは、次のバッターの情報に関する選択項目が表示されている。このような付加情報は、オンスクリーン表示であるため、録画専用出力端子１７からの信号には重畳されないため、ＶＴＲには録画されない。
【００３４】
図９の画面上において、”プロフィール”を選択すると、図１０に示すように、次のバッターのプロフィールがオンスクリーン表示される。ユーザは、このオンスクリーン表示を録画したいときには、リモコン送信機１１の情報記録キー３６を押す。リモコン送信機１１の情報記録キー３６が押されると、ＯＳＤスイッチ１５がオンとなり、オンスクリーン表示が録画専用出力端子１７からの信号に重畳されるので、オンスクリーン表示も受信映像とともにＶＴＲに録画されることになる。なお、ＯＳＤスイッチ１５は、リモコン送信機１１の情報記録キー３６が押されている間、オンとなる。
【００３５】
このように、ユーザーが録画したい付加情報がオンスクリーン表示されているときに、情報記録キー３６を押すことにより、そのオンスクリーン表示を録画することができるようになる。このため、オンスクリーン表示のうち、不要な情報や途中の操作過程などを除いた、本当に録画したいオンスクリーン表示のみを録画することができる。
【００３６】
図１０の画面上において、戻るボタンを押すと、図１１に示すように、元の受信映像のみの画像に戻る。
【００３７】
野球番組が選択された場合の例を示したが、マラソン番組が選択された場合には、先頭集団のメンバー一覧、現在位置、予想タイム等を付加情報として表示させることも可能である。通常、付加情報はツリー構造になっており、上下左右キーで先頭集団の一人にカーソルを合わせて決定キーを押すと、そのメンバーのプロフィールをオンスクリーン表示するようにすることも可能である。
【００３８】
また、映画番組を視聴中であれば、任意のシーンにおいて、特定の出演俳優をカーソルで選択することにより、その俳優のプロフィールを表示させたり、気に入ったロケシーンではそのロケ地の説明を表示させたりすることも可能である。さらに料理番組ではそのレシピは当然のこととして、レシピに書かれている材料をカーソルで選択することによって、より詳しい説明をオンスクーン表示させたり、画面を見ているだけでは良く分からない調理方法の細かい説明をオンスクリーン表示させたりすることも可能である。また、教養講座などのシリーズものなどは、今後の放送予定の中で所望の時期をカレンダーでカーソル選択して、その時期のスケジュール表をオンスクリーン表示させるといったことも可能である。
【００３９】
このように、ユーザーの要望に応じたインターラクティブな付加情報の表示を実現するサービスが種々考えられるが、ユーザーの要望は多様であるため、この様な付加情報を全てオンスクリーン表示して録画する方法では、返って受信映像を隠すことになって煩わしいものとなる。またユーザーの要望が多岐に渡ることも考えられるため、これらの付加情報もメニュー形式のツリー構造となると考えられるが、本当に必要な情報がオンスクリーン表示されるまでに、録画することを要しない操作画面のオンスクリーン表示が行われることになり、この部分までを録画することは、やはりユーザーにとっては煩わしいものになると考えられる。
【００４０】
上記実施の形態では、オンスクリーン表示のうち、本当に録画したいオンスクリーン表示のみを録画するとができるので、これらの問題を解決することができる。
【００４１】
上記実施の形態では、リモコン送信機１１の情報記録キー３６が押されている間だけ、ＯＳＤスイッチ１５がオン状態となるように制御されている。しかしながら、リモコン送信機１１の情報記録キー３６が押されれると（ワンプッシュされると）、予め定められた設定時間だけＯＳＤスイッチ１５がオン状態となるように制御するようにしてもよい。
【００４２】
つまり、ユーザーが現在表示されているオンスクリーン表示を録画しようとしてリモコン送信機１１の情報記録キー３６をワンプッシュすると、システムコントローラ１０はＯＳＤスイッチ１５をオンさせる。これにより、ＯＳＤ表示回路１４から出力されているＯＳＤ信号は、映像処理回路５から出力される映像信号にスーパーインポーズ処理されて、録画専用出力端子１７から出力される。
【００４３】
一方、システムコントローラ１０は、ＯＳＤスイッチ１５をオンすると同時にタイマー回路１３にタイマー制御信号を出力してタイマー回路１３に設定時間の計測を指示する。タイマー回路１３はこれを受け、設定時間の計時を開始する。そして、設定時間が経過すると、その旨を示すタイマー情報をシステムコントローラ１０に通知する。システムコントロール１０はこれを受けて、ＯＳＤスイッチ１５をオフさせる。これによりＯＳＤ信号の映像処理回路５からの出力へのスーパーインポーズ処理は解除され、録画専用出力端子１７からは映像処理回路５から出力されている受信映像のみが出力されることになる。
【００４４】
なお、タイマー回路１３によって計時される計測時間（設定時間）を、オンスクリーン表示の領域の大きさや内容に応じて長く設定したり、短く設定したりするようにしてもよい。システムコントローラ１０は、たとえば、オンスクリーン表示の領域が大きい場合や、表示する文字数が多い場合は、オンスクリーン表示の録画時間を長くするために、タイマー回路１３に指示する計測時間を長く設定する。これにより、ユーザは、内容を確認する時間を十分に確保することができる。
【００４５】
【発明の効果】
この発明によれば、ユーザが所望する任意のタイミングで、受信映像信号にオンスクリーン表示映像が重畳された映像信号を録画専用出力端子から出力させることができるようになる。
【図面の簡単な説明】
【図１】ＣＳデジタル放送を受信する機能を有するデジタルテレビ放送受信機の構成を示すブロック図である。
【図２】リモコン送信機の外観を示す平面図である。
【図３】ユーザによる操作例を示す模式図である。
【図４】ユーザによる操作例を示す模式図である。
【図５】ユーザによる操作例を示す模式図である。
【図６】ユーザによる操作例を示す模式図である。
【図７】ユーザによる操作例を示す模式図である。
【図８】ユーザによる操作例を示す模式図である。
【図９】ユーザによる操作例を示す模式図である。
【図１０】ユーザによる操作例を示す模式図である。
【図１１】ユーザによる操作例を示す模式図である。
【符号の説明】
１  アンテナ
２  チューナ
３  ＤＥＭＵＸ回路
４  ＡＶデコーダ
５  映像処理回路
６、１６  マルチプレクサ
１０  システムコントローラ
１１  リモコン送信機
１２  リモコン受光器
１３  タイマー回路
１４  ＯＳＤ表示回路
１５  ＯＳＤスイッチ
１７  録画専用出力端子
３６  情報記録キー（オンスクリーン表示録画キー）
【図１】
0003789700.tif 000002
【図２】
0003789700.tif 000003
【図３】
0003789700.tif 000004
【図４】
0003789700.tif 000005
【図５】
0003789700.tif 000006
【図６】
0003789700.tif 000007
【図７】
0003789700.tif 000008
【図８】
0003789700.tif 000009
【図９】
0003789700.tif 000010
【図１０】
0003789700.tif 000011
【図１１】
0003789700.tif 000012